(57)【要約】【課題】プロジェクタ装置に映像画面を出力できる電気機器装置を複数台接続し、プロジェクタ装置の複数の入力端子から入力する映像信号に基づいて、表示する映像画面の画面サイズを自動的に変更、また映像画面を自動的に切り替えるプロジェクタ装置及びプロジェクタ装置における映像画面切替方法を提供する。【解決手段】入力端子Ａ(ｃｈ−Ａ)１１と入力端子Ｂ(ｃｈ−Ｂ)１２から入力した映像信号を変換する映像信号変換部Ａ１５と映像信号変換部Ｂ１６、映像信号から取り出した映像信号情報と同期信号情報に基づいて映像信号の映像画面の画面サイズを決定する映像画面サイズ決定処理部２７、映像画面サイズ決定処理部２７から入力した映像画面データをパネル３２に出力するパネルコントローラ３１、映像光を投射レンズ３４に出力する光学ユニット３３、スクリーン６に映像画面を投影する投射レンズ３４を備える。【選択図】図２
2009180943.tif 000002
【特許請求の範囲】
【請求項１】
複数の映像入力手段からの映像信号の入力状態に応じて該映像信号による映像画面の映像画面サイズを変更する画面変更手段を備えたことを特徴とするプロジェクタ装置。
【請求項２】
前記画面変更手段は、１箇所の前記映像入力手段のみから前記映像信号が入力されたとき該入力された映像信号による前記映像画面サイズをフルサイズに変更する画面切替手段を備えたことを特徴とする請求項１に記載のプロジェクタ装置。
【請求項３】
前記画面変更手段は、複数の前記映像入力手段から前記映像信号が入力されたときこれら映像信号による前記映像画面サイズを、入力された前記映像信号に基づき所定の比率のサイズに変更する画面比率変更手段を備えたことを特徴とする請求項１に記載のプロジェクタ装置。
【請求項４】
前記画面変更手段は、１箇所の前記映像入力手段のみから前記映像信号が入力されたとき該入力された映像信号による前記映像画面サイズをフルサイズに変更する画面切替手段と、
前記画面変更手段は、複数の前記映像入力手段から前記映像信号が入力されたときこれら映像信号による前記映像画面サイズを、入力された前記映像信号に基づき所定の比率のサイズに変更する画面比率変更手段と、
を備えたことを特徴とする請求項１に記載のプロジェクタ装置。
【請求項５】
前記映像入力手段から入力された前記映像信号を基に表示される前記映像画面サイズを前記映像信号の情報に基づいて決定する映像画面サイズ決定処理手段を備えたことを特徴とする請求項１から請求項４のいずれか一項に記載のプロジェクタ装置。
【請求項６】
前記映像信号の情報は前記映像信号の同期信号情報であり、
前記映像画面サイズ決定処理手段は、前記同期信号情報に基づいて前記映像画面サイズを決定することを特徴とする請求項５に記載のプロジェクタ装置。
【請求項７】
前記映像画面サイズ決定処理手段は、前記映像信号の有無を前記同期信号情報から判定し、前記映像信号が無いと判定したときは、前記映像画面の前記映像画面サイズを変更することを特徴とする請求項６に記載のプロジェクタ装置。
【請求項８】
前記映像信号の情報は前記映像信号の映像信号情報であり、
前記映像画面サイズ決定処理手段は、前記映像信号情報に基づいて前記映像信号による複数の前記映像画面の前記映像画面サイズの比率を決定することを特徴とする請求項５に記載のプロジェクタ装置。
【請求項９】
前記映像画面サイズ決定処理手段は、前記映像画面の所定の領域の輝度を前記映像信号の情報から取り出し、前記映像画面の前記輝度の比から前記映像画面の前記映像画面サイズの比率を決定することを特徴とする請求項８に記載のプロジェクタ装置。
【請求項１０】
前記画面変更手段は、前記映像信号に含まれる所定の映像を基に前記映像画面サイズを決定することを特徴とする請求項１から請求項９のいずれか一項に記載のプロジェクタ装置。
【請求項１１】
前記画面変更手段は、前記映像信号に含まれる所定の背景映像を基に前記映像画面サイズを決定することを特徴とする請求項１から請求項９のいずれか一項に記載のプロジェクタ装置。
【請求項１２】
前記映像入力手段に予め番号を付け、前記映像画面サイズ決定処理手段は、前記映像入力手段から入力する前記映像信号に基づいて表示される前記映像画面の前記映像画面サイズを、前記番号の昇順、降順、または予め指定した番号の優先順位に従って、変更することを特徴とする請求項５から請求項１１のいずれか一項に記載のプロジェクタ装置。
【請求項１３】
入力された複数の映像信号の入力状態に応じて該映像信号による映像画面の映像画面サイズを変更する画面変更工程を備えたことを特徴とする映像画面切替方法。
【請求項１４】
前記画面変更工程は、１つの前記映像信号のみ入力されたとき、該入力された映像信号による前記映像画面サイズをフルサイズにすることを特徴とする請求項１３に記載の映像画面切替方法。
【請求項１５】
前記画面変更工程は、複数の前記映像信号が入力されたとき、これら映像信号による前記映像画面サイズを入力された前記映像信号に基づき所定の比率のサイズに変更することを特徴とする請求項１３に記載の映像画面切替方法。
【請求項１６】
前記画面変更工程は、１つの前記映像信号のみ入力されたとき、該入力された映像信号による前記映像画面サイズをフルサイズにする画面切替工程と、
前記画面変更工程は、複数の前記映像信号が入力されたとき、これら映像信号による前記映像画面サイズを入力された前記映像信号に基づき所定の比率のサイズに変更する画面比率変更工程と、
を備えたことを特徴とする請求項１３に記載の映像画面切替方法。
【請求項１７】
前記画面変更工程は、
前記映像画面の複数の映像信号を入力する映像入力工程と、
複数の前記映像信号の情報である同期信号情報と映像信号情報に基づいて、複数の前記映像信号の前記映像画面サイズを決定する映像画面サイズ決定処理工程と、
を備えたことを特徴とする請求項１３から請求項１６のいずれか一項に記載の映像画面切替方法。
【発明の詳細な説明】
【技術分野】
【０００１】
本発明は、プロジェクタ装置及びプロジェクタ装置における映像画面切替方法に係り、特に１台のプロジェクタ装置に映像信号を出力できる電気機器装置を複数台接続し、投影(以下表示という)する映像画面を自動的に変更するプロジェクタ装置とプロジェクタ装置の映像画面切替方法に関するものである。
【背景技術】
【０００２】
複数の入力端子を備えるプロジェクタ装置において、複数の入力端子に同時に映像信号が入力される場合に、ユーザはどの入力端子からの映像信号の映像画面を表示するかを選択する必要がある。このため、ユーザが、手動でプロジェクタ装置の操作パネルまたはリモコン装置で入力端子の選択を行っていた。特許文献１に開示の技術では、プロジェクタ装置は、入力端子に映像信号が入力されているか否かを判定している。そして、プロジェクタ装置は、複数の入力端子に映像信号が入力されていれば、映像信号のフォーマットを判定し、この判定結果により映像信号の信号処理を行う。更に、このプロジェクタ装置は、新たな映像信号の入力が検出されたときは、ＯＳＤ(オン・スクリーン・ディスプレイ)表示を行い、ユーザが入力端子を選択できる構成となっている。
【０００３】
【特許文献１】特開２００６−２８７６４６号公報
【発明の開示】
【発明が解決しようとする課題】
【０００４】
上記特許文献１に開示の技術では、入力端子に映像信号が入力されているか否かを判定し、入力端子に映像信号が入力されているときは、ユーザが入力端子の選択を行う。しかし、プレゼンテーションの途中でユーザがプロジェクタ装置の入力端子の切り替えを行う場合に、ユーザが操作手順を忘れてしまう、またはユーザが入力端子を選択する操作に時間がかかってしまい、タイミングよく映像画面の切り替えを行うことができないことがあった。このようなときは、聴衆を待たせてしまい、スムーズにプレゼンテーションを進めることができないという問題が発生していた。また、入力端子に映像信号が入力されているか否かを判定し、入力端子に映像信号が入力されているときは映像信号のフォーマットを判定し、その判定結果により信号処理を行う。また、いずれの方法でも映像装置側(プロジェクタ装置側)でユーザにより入力端子を１つ選択し、選択された入力端子から入力される映像画面しか表示することが出来ず、入力端子に接続されたＰＣ等の外部機器側からの情報により入力信号の選択ができないという課題があった。
【０００５】
本発明はこのような状況に鑑みてなされたものであり、上記課題を解決できるプロジェクタ装置及びプロジェクタ装置における映像画面切替方法を提供することを目的とする。
【課題を解決するための手段】
【０００６】
本発明のプロジェクタ装置は、複数の映像入力手段からの映像信号の入力状態に応じて該映像信号による映像画面の映像画面サイズを変更する画面変更手段を備えたことを特徴としている。
また、本発明のプロジェクタ装置において、前記画面変更手段は、１箇所の前記映像入力手段のみから前記映像信号が入力されたとき該入力された映像信号による前記映像画面サイズをフルサイズに変更する画面切替手段を備えたことを特徴としている。
また、本発明のプロジェクタ装置において、前記画面変更手段は、複数の前記映像入力手段から前記映像信号が入力されたときこれら映像信号による前記映像画面サイズを、入力された前記映像信号に基づき所定の比率のサイズに変更する画面比率変更手段を備えたことを特徴としている。
また、本発明のプロジェクタ装置において、前記画面変更手段は、１箇所の前記映像入力手段のみから前記映像信号が入力されたとき該入力された映像信号による前記映像画面サイズをフルサイズに変更する画面切替手段と、前記画面変更手段は、複数の前記映像入力手段から前記映像信号が入力されたときこれら映像信号による前記映像画面サイズを、入力された前記映像信号に基づき所定の比率のサイズに変更する画面比率変更手段と、を備えたことを特徴としている。
また、本発明のプロジェクタ装置において、前記映像入力手段から入力された前記映像信号を基に表示される前記映像画面サイズを前記映像信号の情報に基づいて決定する映像画面サイズ決定処理手段を備えたことを特徴としている。
また、本発明のプロジェクタ装置において、前記映像信号の情報は前記映像信号の同期信号情報であり、前記映像画面サイズ決定処理手段は、前記同期信号情報に基づいて前記映像画面サイズを決定することを特徴としている。
また、本発明のプロジェクタ装置において、前記映像画面サイズ決定処理手段は、前記映像信号の有無を前記同期信号情報から判定し、前記映像信号が無いと判定したときは、前記映像画面の前記映像画面サイズを変更することを特徴としている。
また、本発明のプロジェクタ装置において、前記映像信号の情報は前記映像信号の映像信号情報であり、前記映像画面サイズ決定処理手段は、前記映像信号情報に基づいて前記映像信号による複数の前記映像画面の前記映像画面サイズの比率を決定することを特徴としている。
また、本発明のプロジェクタ装置において、前記映像画面サイズ決定処理手段は、前記映像画面の所定の領域の輝度を前記映像信号の情報から取り出し、前記映像画面の前記輝度の比から前記映像画面の前記映像画面サイズの比率を決定することを特徴としている。
また、本発明のプロジェクタ装置において、前記画面変更手段は、前記映像信号に含まれる所定の映像を基に前記映像画面サイズを決定することを特徴としている。
また、本発明のプロジェクタ装置において、前記画面変更手段は、前記映像信号に含まれる所定の背景映像を基に前記映像画面サイズを決定することを特徴としている。
また、本発明のプロジェクタ装置において、前記映像入力手段に予め番号を付け、前記映像画面サイズ決定処理手段は、前記映像入力手段から入力する前記映像信号に基づいて表示される前記映像画面の前記映像画面サイズを、前記番号の昇順、降順、または予め指定した番号の優先順位に従って、変更することを特徴としている。
また、本発明のプロジェクタ装置の映像画面切替方法は、入力された複数の映像信号の入力状態に応じて該映像信号による映像画面の映像画面サイズを変更する画面変更工程を備えたことを特徴としている。
また、本発明のプロジェクタ装置の映像画面切替方法において、前記画面変更工程は、１つの前記映像信号のみ入力されたとき、該入力された映像信号による前記映像画面サイズをフルサイズにすることを特徴としている。
また、本発明のプロジェクタ装置の映像画面切替方法において、前記画面変更工程は、複数の前記映像信号が入力されたとき、これら映像信号による前記映像画面サイズを入力された前記映像信号に基づき所定の比率のサイズに変更することを特徴としている。
また、本発明のプロジェクタ装置の映像画面切替方法において、前記画面変更工程は、１つの前記映像信号のみ入力されたとき、該入力された映像信号による前記映像画面サイズをフルサイズにする画面切替工程と、前記画面変更工程は、複数の前記映像信号が入力されたとき、これら映像信号による前記映像画面サイズを入力された前記映像信号に基づき所定の比率のサイズに変更する画面比率変更工程と、を備えたことを特徴としている。
また、本発明のプロジェクタ装置の映像画面切替方法において、前記画面変更工程は、前記映像画面の複数の映像信号を入力する映像入力工程と、複数の前記映像信号の情報である同期信号情報と映像信号情報に基づいて、複数の前記映像信号の前記映像画面サイズを決定する映像画面サイズ決定処理工程と、を備えたことを特徴としている。
【発明の効果】
【０００７】
本発明によれば、１台のプロジェクタ装置に映像画面を出力できる電気機器装置を複数台接続し、プロジェクタ装置の複数の入力端子から入力する映像信号の情報に基づいて、プロジェクタ装置が表示する映像画面の画面サイズを自動的に変更、また映像画面を自動的に切り替えるプロジェクタ装置及びプロジェクタ装置における映像画面切替方法を提供することができる。
【発明を実施するための最良の形態】
【０００８】
以下、本発明の実施の形態について図面を参照して説明する。
（第１の実施の形態）
本発明の第１の実施の形態は、プロジェクタ装置の複数の入力端子から入力された映像信号の同期信号情報の映像信号の有無、ＰＣやビデオテープレコーダ(以下「ＶＴＲ」という)やＤＶＤレコーダなどの映像信号の種類などに基づいて映像信号の有無を判定して、１台のみ有りのときは有りの画面サイズをフルサイズにし、あるいは入力された映像信号が複数有りのときは、映像画面の明るさに基づいて、プロジェクタ装置が表示する映像信号の映像画面の画面サイズを自動的に変更、また映像信号の映像画面を自動的に切り替える形態である。本実施の形態は、図１に示すように１台のプロジェクター装置１に、パソコン(以下「ＰＣ」という)であるＰＣ−Ａ２、ＰＣ−Ｂ３の２台が接続された構成である。ＰＣ−Ａ２、ＰＣ−Ｂ３は、映像信号をプロジェクター装置１に出力する。プロジェクター装置１は、この２台のＰＣ−Ａ２、ＰＣ−Ｂ３から同時に映像信号を入力し、スクリーン６に映像信号の映像画面を表示する。本実施の形態では、プロジェクター装置１に、ＰＣを接続して映像信号を入力しているが、ビデオテープレコーダ(以下「ＶＴＲ」という)、ＤＶＤレコーダ、デジタルカメラなどを接続し、これらの装置からも映像信号を入力することは可能である。
【０００９】
図２は、プロジェクタ装置１の主要な構成を示す機能ブロック図である。以下、図２のプロジェクタ装置１の構成について説明する。
【００１０】
入力端子Ａ(ｃｈ−Ａ)１１は、ＰＣ−Ａ２が出力する映像信号を入力して映像信号変換部Ａ１５に出力する。同様に、入力端子Ｂ(ｃｈ−Ｂ)１２は、ＰＣ−Ｂ３が出力する映像信号を入力して映像信号変換部Ｂ１６に出力する。
【００１１】
映像信号変換部Ａ１５と映像信号変換部Ｂ１６は、それぞれ入力端子Ａ(ｃｈ−Ａ)１１と入力端子Ｂ(ｃｈ−Ｂ)１２から入力した映像信号をスケーラ２０に出力する。映像信号変換部Ａ１５と映像信号変換部Ｂ１６は、映像信号がアナログ信号であればデジタル映像信号伝送方式であるＴＭＤＳのデジタル映像信号に変換して入力することができる。また、映像信号変換部Ａ１５と映像信号変換部Ｂ１６は、ＴＭＤＳの映像信号を直接入力することもできる。ＴＭＤＳの映像信号は、３チャンネルの映像信号情報と１チャンネルの同期信号情報から構成される。ＴＭＤＳの映像信号の映像信号情報から、画面の最小単位である画素の輝度信号、映像信号の電圧レベルなどを取り出すことができる。また、このＴＭＤＳの映像信号の同期信号情報から、映像信号の有無、ＰＣやビデオテープレコーダ(以下「ＶＴＲ」という)やＤＶＤレコーダなどの映像信号の種類などを取り出すことができる。更に、映像信号変換部Ａ１５と映像信号変換部Ｂ１６は、ＴＭＤＳの映像信号から同期信号を検出する機能を備えている。
【００１２】
スケーラ２０は、映像信号変換部Ａ１５と映像信号変換部Ｂ１６から映像信号を入力するときに、映像信号の有無をチェックする。また、スケーラ２０は、映像信号の映像画面の画面サイズを決定する処理を行う。そして、スケーラ２０は、映像画面の映像画面データを作成し、パネルコントローラ３１に出力する。なお、スケーラ２０の構成については、後述する。
【００１３】
パネルコントローラ３１は、パネル３２を駆動制御するコントローラであり、スケーラ２０から入力した表示イメージの映像画面データをパネル３２に出力して、赤、青、緑の各々の光を変調する。そして、変調された赤、青、緑の光は、パネル３２から光学ユニット３３に出力される。光学ユニット３３は、変調された赤、青、緑の光を合成した映像光を、投射レンズ３４に出力する。投射レンズ３４は、スクリーン６に映像画面を表示する。
【００１４】
次に、図２のスケーラ２０の構成について、詳しく説明する。スケーラ２０は、中継部２１と、映像信号情報入力部Ａ２２と、同期信号情報入力部Ａ２３と、映像信号情報入力部Ｂ２４と、同期信号情報入力部Ｂ２５と、映像処理部２６と、映像処理部２６の映像画面サイズ決定処理部２７から構成されている。
【００１５】
中継部２１は、例えばＭＵＸ(マルチプレクサ)であって、映像信号変換部Ａ１５と映像信号変換部Ｂ１６から入力したデジタル映像信号から映像信号情報と同期信号情報を取り出すために、信号の入れ替えを行う。
【００１６】
映像信号情報入力部Ａ２２は、映像信号Ａの映像画面（以下映像信号Ａ画面という）を表示するための映像信号情報Ａを、映像信号変換部Ａ１５から中継部２１を経由して入力する。同期信号情報入力部Ａ２３は、映像信号Ａ画面を表示するための同期信号情報Ａを映像信号変換部Ａ１５から中継部２１を経由して入力する。映像信号情報入力部Ａ２２と同期信号情報入力部Ａ２３は、同じ映像信号Ａ画面の映像信号情報Ａと同期信号情報Ａを同時に入力する。同様に、映像信号情報入力部Ｂ２４は、映像信号Ｂの映像画面（以下映像信号Ｂ画面という）を表示するための映像信号情報Ｂを、映像信号変換部Ｂ１６から中継部２１を経由して入力する。同期信号情報入力部Ｂ２５は、映像信号Ｂ画面を表示するための同期信号情報Ｂを映像信号変換部Ｂ１６から中継部２１を経由して入力する。映像信号情報入力部Ｂ２４と同期信号情報入力部Ｂ２５は、同じ映像信号Ａ画面の映像信号情報Ｂと同期信号情報Ｂを同時に入力する。映像信号情報Ａと映像信号情報Ｂは、ＴＭＤＳの映像信号から取り出した画面の最小単位である画素の輝度信号、映像信号の電圧レベルなどの情報である。同期信号情報Ａと同期信号情報Ｂは、ＴＭＤＳの映像信号から取り出した映像信号の有無、映像信号の種類などの情報である。
【００１７】
映像処理部２６は、一般的な映像処理機能とともに、ＰＩＰ(Picture In Picture)、ＰＯＰ(Picture On Picture)、ＰＡＰ(Picture
And Picture)の機能を持ち、表示する映像画面の映像画面データを作成する。ＰＩＰは、通常の映像画面(親画面)の上に、小さな映像画面(子画面)を合成して表示する機能である。ＰＯＰは、大きな映像画面にこれとは別に制御された小さな映像画面を重ねて表示する機能である。ＰＡＰは、映像画面を並べて表示する機能である。
【００１８】
映像処理部２６は、映像画面サイズ決定処理部２７を備え、この映像画面サイズ決定処理部２７は、同期信号情報入力部Ａ２３から入力した同期信号情報から取り出した映像信号の種類から映像信号Ａの有無を判定する。また、映像画面サイズ決定処理部２７は、同期信号情報入力部Ｂ２５から入力した同期信号情報から取り出した映像信号の種類から映像信号Ｂの有無を判定する。なお、映像画面サイズ決定処理部２７が、同期信号情報入力部Ａ２３または同期信号情報入力部Ｂ２５から同期信号情報を入力できないときは、映像信号変換部Ａ１５がＴＭＤＳの映像信号の同期信号を検出できるか否か、または映像信号変換部Ｂ１６がＴＭＤＳの映像信号の同期信号を検出できるか否かで、映像信号の有無を判定する。この場合、映像画面サイズ決定処理部２７は、同期信号が検出できたか否かを、映像信号変換部Ａ１５と映像信号変換部Ｂ１６から入力することができる。
【００１９】
また、映像画面サイズ決定処理部２７は、映像信号情報入力部Ａ２２や映像信号情報入力部Ｂ２４から入力した映像信号情報から映像画面の明るさを求め、この映像画面の明るさから映像の画面サイズを決定する。映像画面の明るさは、画面表示の最小単位である画素の輝度信号に基づき求められた値によって表される。輝度信号は、例えば白から黒の部分までの間を２５６段階に量子化している。映像画面サイズ決定処理部２７は、映像信号Ａの映像画面の明るさを求めるために、映像信号情報入力部Ａ２２から入力した映像信号情報から、映像信号Ａ画面の所定の領域の画素の輝度信号（０〜２５５）を取り出す。そして、取り出した全ての画素の輝度信号から所定値を計算する。計算した所定値（０〜２５５）が、映像信号Ａ画面の明るさとなる。また同様に、映像画面サイズ決定処理部２７は、映像信号Ｂの映像画面の明るさを求めるために、映像信号情報入力部Ｂ２４から入力した映像信号情報から、映像信号Ｂ画面の所定の領域の画素の輝度信号（０〜２５５）を取り出す。そして、取り出した全ての画素の輝度信号を計算する。計算した所定値（０〜２５５）が、映像信号Ｂ画面の明るさとなる。輝度値から求める上記所定値としては、例えば、合計値、平均値、ある一定値以上の輝度についての合計値、ある一定値以上の輝度についての平均値などがある。最後に、映像画面サイズ決定処理部２７は、映像信号Ａ画面の明るさと映像信号Ｂ画面の明るさの比から、映像信号Ａ画面と映像信号Ｂ画面の画面サイズの比を決定する。そして、映像画面サイズ決定処理部２７は、映像画面をこの決定した画面サイズに変更し、その映像画面の映像画面データを、パネルコントローラ３１に出力する。
【００２０】
ＣＰＵ４１は、プロジェクタ装置１全体を制御し、また映像画面サイズ決定処理プログラムを実行するようになっている。フラッシュメモリ４２は、ＣＰＵ４１が実行するプログラムやプログラムで用いられるデータを記憶している書き換え可能な不揮発性メモリである。ＤＲＡＭ４３は、スケーラ２０が実行するプログラムやプログラムで用いられるデータを一時的に記憶する書き換え可能な揮発性メモリである。以上のＣＰＵ４１は、プロジェクタ装置１の各処理部と接続されている。本実施の形態では、ＣＰＵ４１にフラッシュメモリ４２とＤＲＡＭ４３が接続され、プロジェクタ装置１全体を制御している形態を示す。
【００２１】
図３は、映像画面サイズ決定処理の流れを示すフローチャートである。図３のフローチャートに示すステップ順に基づいて、映像画面サイズ決定処理を説明する。
【００２２】
ユーザは、図２に示すプロジェクタ装置１にＰＣ―Ａ２及びＰＣ―Ｂ３を接続し、プロジェクタ装置１の電源を投入する。ＰＣ―Ａ２から映像画面の映像信号Aが入力端子Ａ(ｃｈ―Ａ)１１に出力される。同様に、ＰＣ―Ｂ３から映像画面の映像信号Ｂが入力端子Ｂ(ｃｈ−Ｂ)１２に出力される。また、プロジェクタ装置１の電源が投入されると、ＣＰＵ４１はフラッシュメモリ４２に保存されている映像画面サイズ決定処理プログラムをロードし、映像画面サイズ決定処理プログラムを実行する。映像画面サイズ決定処理部２７は、映像画面サイズ決定処理プログラムの実行により映像画面サイズ決定処理を開始する。
【００２３】
（ステップＳ１）
映像画面サイズ決定処理部２７は、映像信号Ａ画面の画面サイズと映像信号Ｂ画面の画面サイズの比である画面サイズ比データに初期値「１」をセットし、ＤＲＡＭ４３に記憶する。
【００２４】
（ステップＳ２）
映像画面サイズ決定処理部２７は、映像信号Ａと映像信号Ｂの映像信号の有無を取り出す。このため、映像画面サイズ決定処理部２７は、同期信号情報入力部Ａ２３から入力した同期信号情報から取り出した映像信号の有無と映像信号の種類をチェックする。映像信号が有りでかつ映像信号の種類がＰＣから入力された信号であれば、映像画面サイズ決定処理部２７は、映像信号Ａの映像信号は有りと判定する。また、同期信号情報を入力できないときは、映像画面サイズ決定処理部２７は、同期信号が検出できたか否かを映像信号変換部Ａ１５から入力し、同期信号が検出できれば、映像信号Ａの映像信号は有りと判定する。映像信号変換部Ａ１５で同期信号が検出できず、映像信号Ａの映像信号が有りと判定できないときは、映像画面サイズ決定処理部２７は、映像信号Ａの映像信号は無しとする。同様に、映像画面サイズ決定処理部２７は、同期信号情報入力部Ｂ２５から入力した同期信号情報から取り出した映像信号の有無と映像信号の種類をチェックする。映像信号が有りでかつ映像信号の種類がＰＣから入力された信号であれば、映像画面サイズ決定処理部２７は、映像信号Ｂの映像信号は有りと判定する。また、同期信号情報を入力できないときは、映像画面サイズ決定処理部２７は、同期信号が検出できたか否かを映像信号変換部Ｂ１６から入力し、同期信号が検出できれば、映像信号Ｂの映像信号は有りと判定する。映像信号変換部Ｂ１６で同期信号が検出できず、映像信号Ｂの映像信号が有りと判定できないときは、映像画面サイズ決定処理部２７は、映像信号Ｂの映像信号は無しとする。
【００２５】
(ステップＳ３)
映像画面サイズ決定処理部２７は、取り出した映像信号Ａと映像信号Ｂの映像信号の有無の判定状態を判定する。すなわち映像信号Ａの映像信号が有りかつ映像信号Ｂの映像信号が無い(映像信号Ａのみ存在する)場合はステップＳ４に進む。映像信号Ａの映像信号が無くかつ映像信号Ｂの映像信号が有る(映像信号Ｂのみ存在する)場合はステップＳ５に進む。映像信号Ａと映像信号Ｂがともに有る(映像信号Ａと映像信号Ｂがともに存在する)場合は、ステップＳ６に進む。
【００２６】
（ステップＳ４）
ステップＳ４において、映像信号Ａと映像信号Ｂの有無状態は、映像信号Ａの映像信号が有りかつ映像信号Ｂの映像信号が無い(映像信号Ａのみ存在する)状態なので、映像画面サイズ決定処理部２７は、図４（ａ）に示すように映像信号Ｂ画面をフェードアウト(徐々に消去)し、映像信号Ａ画面の画面サイズを徐々にフル画面サイズとする映像画面データをパネルコントローラ３１に出力する。本実施の形態では、映像信号Ｂ画面をフェードアウトする例を示したが、フェードアウト以外の方法でも映像信号Ｂ画面を消去することが可能である。また、映像信号Ｂ画面を消去せずに、映像信号Ｂ画面の画面サイズを小さくする、または映像信号Ｂ画面を暗くするなどの映像信号Ｂ画面の表示方法を変更することが可能である。そして、本処理を一定時間待ちとするステップＳ１２に進む。
【００２７】
（ステップＳ５）
ステップＳ５において、映像信号Ａと映像信号Ｂの有無状態は、映像信号Ａの映像信号が無くかつ映像信号Ｂの映像信号が有る(映像信号Ｂのみ存在する)状態なので、映像画面サイズ決定処理部２７は、図４（ｂ）に示すように映像信号Ａ画面をフェードアウト(徐々に消去)し、映像信号Ｂ画面の画面サイズを徐々にフル画面サイズとする映像画面データをパネルコントローラ３１に出力する。本実施の形態では、映像信号Ａ画面をフェードアウトする例を示したが、フェードアウト以外の方法でも映像信号Ａ画面を消去することが可能である。また、映像信号Ａ画面を消去せずに、映像信号Ａ画面の画面サイズを小さくする、または映像信号Ａ画面を暗くするなどの映像信号Ａ画面の表示方法を変更することが可能である。そして、本処理を一定時間待ちとするステップＳ１２に進む。
【００２８】
（ステップＳ６）
ステップＳ６において、映像信号Ａと映像信号Ｂの有無状態は、映像信号Ａと映像信号Ｂがともに有る(映像信号Ａと映像信号Ｂがともに存在する)状態なので、映像画面サイズ決定処理部２７は、映像画面の画面サイズを映像信号の映像画面の明るさに対応させるために、映像信号Ａ画面と映像信号Ｂ画面の明るさを計算する。具体的には、上述したように、画素の輝度の合計値、平均値、ある一定値以上の輝度についての合計値、ある一定値以上の輝度についての平均値などを計算する。映像信号Ａ画面の所定の領域の画素の輝度を上記計算方法で計算し、計算した値が映像信号Ａ画面の明るさを判定する値となる。同様に、映像信号Ｂ画面の所定の領域の画素の輝度を上記計算方法で計算し、計算した値が映像信号Ｂ画面の明るさを判定する値となる。
【００２９】
（ステップＳ７）
映像画面サイズ決定処理部２７は、映像信号Ａ画面と映像信号Ｂ画面の画面サイズの比を決定するために、映像信号Ａ画面と映像信号Ｂ画面の明るさの比を計算する。例えば、映像信号Ｂ画面の明るさが映像信号Ａ画面の明るさの１／１０であれば、映像信号Ａ画面と映像信号Ｂ画面の明るさの比は、１０：１となる。また、映像信号Ａ画面の明るさが映像信号Ｂ画面の明るさの１／２であれば、映像信号Ａ画面と映像信号Ｂ画面の明るさの比は、１：２となる。
【００３０】
（ステップＳ８）
映像画面サイズ決定処理部２７は、映像信号Ａ画面と映像信号Ｂ画面の明るさの比から、映像信号Ａ画面と映像信号Ｂ画面の画面サイズの比を決定する。例えば、映像信号Ａ画面と映像信号Ｂ画面の明るさの比が１０：１であれば、映像信号Ａ画面と映像信号Ｂ画面の画面サイズの比は、１０：１となる。また、映像信号Ａ画面と映像信号Ｂ画面の明るさの比が１：２であれば、映像信号Ａ画面と映像信号Ｂ画面の画面サイズの比は、１：２となる。
【００３１】
（ステップＳ９）
映像画面サイズ決定処理部２７は、決定した画面サイズと現状の画面サイズを比較するために、現在の映像信号Ａ画面と映像信号Ｂ画面の画面サイズの比である画面サイズ比データをＤＲＡＭ４３から取り出す。映像画面サイズ決定処理部２７は、取り出した現在の画面サイズ比データの画面サイズの比と今回決定した画面サイズの比を比較する。画面サイズの比が一致していれば、映像信号Ａ画面と映像信号Ｂ画面の画面サイズの変更は行わずに本処理を一定時間待ちとするステップＳ１２に進む。また、比較した結果、映像信号Ａ画面と映像信号Ｂ画面の画面サイズの変更が必要であれば、画面サイズを変更するステップＳ１０に進む。
【００３２】
(ステップＳ１０)
映像画面サイズ決定処理部２７は、決定した画面サイズの比になるように映像信号Ａ画面の画面サイズと映像信号Ｂ画面の画面サイズを変更し、その映像画面データをパネルコントローラ３１に出力する。例えば、映像信号Ａ画面と映像信号Ｂ画面の画面サイズの比が１０：１であれば、図４（ｃ）に示すように、映像信号Ａ画面と映像信号Ｂ画面の画面サイズが１０：１となるように映像画面の画面サイズが徐々に変更され、その映像画面データがパネルコントローラ３１に出力される。また、映像信号Ａ画面と映像信号Ｂ画面の画面サイズの比が１：２であれば、図４（ｄ）に示すように、映像信号Ａ画面と映像信号Ｂ画面の画面サイズが１：２となるように、映像画面の画面サイズが変更され、その映像画面データがパネルコントローラ３１に出力される。本実施の形態では、映像画面の画面サイズを大幅に変更するときは、徐々に画面サイズを変更する例を示したが、徐々に画面サイズを変更する方法以外でも映像画面の画面サイズを変更することは可能である。
【００３３】
(ステップＳ１１)
映像画面サイズ決定処理部２７は、映像信号Ａ画面と映像信号Ｂ画面の画面サイズの比である画面サイズ比データに、今回変更した画面サイズの比を設定し、ＤＲＡＭ４３に記憶する。例えば、映像信号Ａ画面と映像信号Ｂ画面の画面サイズの比が１０：１であれば、画面サイズ比データに「１０」を設定する。また、映像信号Ａ画面と映像信号Ｂ画面の画面サイズが１：２であれば、画面サイズ比データに「０．５」を設定する。
【００３４】
(ステップＳ１２)
映像画面サイズ決定処理部２７は、予め決められた一定時間を経過してから、再び映像信号Ａと映像信号Ｂの画面サイズの比を計算する処理を行うため、本処理を一定時間待ち状態としてからステップＳ２に戻る。
【００３５】
本実施の形態によれば、プロジェクタ装置１に２台のＰＣ−Ａ２、ＰＣ−Ｂ３が接続されている場合に、ＰＣ−Ａ２、ＰＣ−Ｂ３から入力する映像信号の情報に基づいて、プロジェクタ装置１が表示する映像信号毎の映像画面の画面サイズを自動的に変更、また映像画面を自動的に切り替えるプロジェクタ装置１及びプロジェクタ装置１における映像画面切替方法を提供することができる。
【００３６】
（第２の実施の形態）
以上、第１の実施の形態について、プロジェクタ装置１にＰＣ−Ａ２、ＰＣ−Ｂ３の２台のＰＣが接続された例を挙げたが、これ以外に更に多くのＰＣが接続されている構成とした場合でも、これらのＰＣから入力する映像信号の情報に基づいて、プロジェクタ装置が表示する映像信号の映像画面の画面サイズを自動的に変更、また映像画面を自動的に切り替えるプロジェクタ装置及びプロジェクタ装置における映像画面切替方法を提供することができる。
【００３７】
本発明の第２の実施の形態は、第１の実施の形態のプロジェクタ装置１に更にセレクタを設け(プロジェクタ装置１０という)、このセレクタが複数の入力端子から入力端子を選択する。そして、選択された入力端子から入力する映像信号の情報から決定した映像画面の明るさに基づいて、プロジェクタ装置１０が表示する複数の映像画面の画面サイズを自動的に変更、また映像画面を自動的に切り替える形態である。本実施の形態のセレクタは、ＭＵＸ(マルチプレクサ)の一種であり、映像信号の選択と取り出しを行う。また、セレクタは、複数のセレクタを組み合わせて一つのセレクタを構成することができる。本実施の形態では、１台のプロジェクタ装置１０に４台のＰＣが接続された実施の形態である。プロジェクタ装置１０は、セレクタで選択された２台の入力端子から映像信号を入力し、映像画面を表示することができる。本実施の形態のプロジェクタ装置１０の構成は、図５に示すように第１の実施の形態のプロジェクタ装置の構成に、ＰＣ―Ｃ４、ＰＣ−Ｄ５、入力端子Ｃ(ｃｈ−Ｃ)１３、入力端子(ｃｈ−Ｄ)１４、セレクタ５０が追加されている。この追加されている箇所以外は、第１の実施の形態と同じである。
【００３８】
本実施の形態で追加されたＰＣ―Ｃ４、ＰＣ−Ｄ５は、ＰＣ―Ａ２、ＰＣ−Ｂ３と同様のＰＣであり、入力端子Ｃ(ｃｈ−Ｃ)１３、入力端子Ｄ(ｃｈ−Ｄ)１４は、入力端子Ａ(ｃｈ−Ａ)１１、入力端子Ｂ(ｃｈ−Ｂ)１２と同様の入力端子である。本実施の形態で追加されたセレクタ５０は、入力端子Ａ(ｃｈ−Ａ)１１〜入力端子Ｄ(ｃｈ−Ｄ)１４の４箇所の入力端子の中から映像信号を入力する２箇所の入力端子を選択する。そして、セレクタ５０は、選択した入力端子から映像信号を入力し、映像信号変換部Ａ１５と映像信号変換部Ｂ１６に出力する。また、セレクタ５０は、現状選択している入力端子からの映像信号が無信号となったときは、予め決められた優先順位に従って入力端子を選択することができる。
【００３９】
また、本実施の形態のプロジェクタ装置の映像画面サイズ決定処理では、ＰＣ―Ａ２、ＰＣ−Ｂ３、ＰＣ―Ｃ４、ＰＣ−Ｄ５からセレクタ５０で選択された２台のＰＣの映像画面サイズを決定する。選択された２台のＰＣについての映像画面サイズを決定する処理については、第１の実施の形態のプロジェクタ装置の映像画面サイズ決定処理と同じである。
【００４０】
本実施の形態によれば、プロジェクタ装置にセレクタを追加することで、多数のＰＣが接続されている場合に、自動的に入力端子に接続された複数台のＰＣのうちから特定の複数のＰＣを選択することでができる。更に、選択した複数台のＰＣから入力した映像信号の情報に基づいて、プロジェクタ装置１０が表示する複数の映像画面の画面サイズを自動的に変更、また映像画面を自動的に切り替えるプロジェクタ装置及びプロジェクタ装置における映像画面切替方法を提供することができる。
【００４１】
上記の第１の実施の形態と第２の実施の形態では、プロジェクタ装置に複数台のＰＣを接続する実施例について説明したが、プロジェクタ装置にＰＣの他にＶＴＲやＤＶＤレコーダを接続して、ＰＣ、ＶＴＲ、ＤＶＤレコーダの動画像を同時に表示する形態とすることが可能である。このような形態では、スクリーンに表示される動画像を消去したい場合に、ＶＴＲやＤＶＤレコーダの電源をオフしたり停止したりせずに、動画像の再生を一時停止とし、映像画面を暗くすると、ＶＴＲやＤＶＤレコーダからプロジェクタ装置に暗い映像画面が出力されるので、映像画面が自動的に徐々に小さくなる。また、ＶＴＲやＤＶＤレコーダの再生操作を行うことで、ＶＴＲやＤＶＤレコーダからプロジェクタ装置に動画像の映像画面が出力されると、映像画面が明るくなるので動画像の映像画面が自動的に徐々に大きくなる。このように、本発明のプロジェクタ装置の映像画面切替方法を用いることで、プロジェクタ装置にＶＴＲやＤＶＤレコーダを接続してプレゼンテーションを行う場合などに、ユーザの操作を軽減することができる。
【００４２】
（第３の実施の形態）
本発明の第３の実施の形態は、図２に示すプロジェクタ装置１の機能ブロック図のスケーラ２０に映像信号電圧測定部を設ける実施の形態である。このような実施の形態において、映像信号情報入力部Ａ２２と映像信号情報入力部Ｂ２４が映像信号情報を取り出すことができないときは、映像信号電圧測定部により映像信号のデータ(上位２ビットなど)の電圧を測定することで、映像画面の明るさを求めることができる。映像画面サイズ決定処理部２７は、映像信号電圧測定部が電圧が高い映像信号のデータを測定したときは、映像画面が明るいと判定することができる。また、映像画面サイズ決定処理部２７は、映像信号電圧測定部が電圧が低い映像信号のデータを測定したときは、映像画面が暗いと判定することができる。
【００４３】
（その他の実施の形態）
本発明のその他の実施の形態としては、入力端子から入力する映像信号の映像に予め指定した映像と同じ映像を含んでいるか、または予め指定した背景の映像を有しているかを判断することで、プロジェクタ装置が表示する映像画面の画面サイズを自動的に変更、また映像画面を自動的に切り替える形態である。例えば、会社のロゴマーク、人の顔、矢印などのポインタ、背景などの映像をあらかじめフラッシュメモリなどの不揮発性メモリに記憶しておく。そして、映像画面の画面サイズを決定するときに、フラッシュメモリなどに記憶されている会社のロゴマーク、人の顔、矢印などのポインタなどのパターンを抽出し、プロジェクタ装置が入力した映像信号に、類似のパターンを含んでいるかをチェックする。また、映像画面の画面サイズを決定するときに、フラッシュメモリなどに記憶されている背景の映像または映像のパターンを取り出し、プロジェクタ装置が入力した映像信号に、同じ背景の映像または類似のパターンを有しているかをチェックする。同じ映像または類似のパターンが映像信号に含まれるまたは有しているときは、映像画面の画面サイズを大きくし、また、同じ映像または類似のパターンを含んでいないまたは有していないときは、映像信号の映像画面の画面サイズを小さくする。逆に、同じ映像を含んでいるまたは有しているときは、映像信号の映像画面の画面サイズを小さくし、また、同じ映像または類似のパターンを含んでいないまたは有していないときは、映像信号の映像画面の画面サイズを大きくすることも可能である。
【００４４】
更に、映像信号を入力する入力端子に予め番号を付けることで、入力端子の番号の昇順、入力端子の番号の降順、または予め指定した入力端子の番号の優先順位に従って、入力端子から入力する映像信号の映像画面の画面サイズを自動的に変更、また映像画面を自動的に切り替えることができる。また、映像信号だけでなく、入力端子から入力する音声信号の音声の大小、映像信号の種類(ＰＣ、ＶＴＲ、ＤＶＤレコーダなど)を判断することで、映像信号の映像画面の画面サイズを自動的に変更、また映像画面を自動的に切り替えることも可能である。
【産業上の利用可能性】
【００４５】
本発明は、プロジェクタ装置及びプロジェクタ装置における映像画面切替方法に好適であるが、プロジェクタ装置及びプロジェクタ装置における映像画面切替方法に限られるものではなく、映像画面を表示する電気機器装置一般に適用可能である。
【図面の簡単な説明】
【００４６】
【図１】本発明の第１の実施の形態であるプロジェクタ装置とパソコンが接続された構成図である。
【図２】本発明の第１の実施の形態であるプロジェクタ装置の主要な構成を示す機能ブロック図である。
【図３】本発明の第１の実施の形態における、映像画面サイズ決定処理の流れを示すフローチャートである。
【図４】本発明の第１の実施の形態における、画面遷移図である。
【図５】本発明の第２の実施の形態であるプロジェクタ装置の主要な構成を示す機能ブロック図である。
【符号の説明】
【００４７】
１・・・プロジェクタ装置(第１の実施の形態)
２・・・ＰＣ−Ａ
３・・・ＰＣ−Ｂ
４・・・ＰＣ−Ｃ
５・・・ＰＣ−Ｄ
６・・・スクリーン
１０・・・プロジェクタ装置(第２の実施の形態)
１１・・・入力端子A(ｃｈ−Ａ)
１２・・・入力端子Ｂ(ｃｈ−Ｂ)
１３・・・入力端子Ｃ(ｃｈ−Ｃ)
１４・・・入力端子Ｄ(ｃｈ−Ｄ)
１５・・・映像信号変換部Ａ
１６・・・映像信号変換部B
２０・・・スケーラ
２１・・・中継部
２２・・・映像信号情報入力部Ａ
２３・・・同期信号情報入力部Ａ
２４・・・映像信号情報入力部Ｂ
２５・・・同期信号情報入力部Ｂ
２６・・・映像処理部
２７・・・映像画面サイズ決定処理部
３１・・・パネルコントローラ
３２・・・パネル
３３・・・光学ユニット
３４・・・投射レンズ
４１・・・ＣＰＵ
４２・・・フラッシュメモリ
４３・・・ＤＲＡＭ
５０・・・セレクタ
【図１】
2009180943.tif 000003
【図２】
2009180943.tif 000004
【図３】
2009180943.tif 000005
【図４】
2009180943.tif 000006
【図５】
2009180943.tif 000007